(57)【要約】【課題】芯線の挿入作業を容易にする。【解決手段】本開示の端子３０は、芯線２１を有する電線２０と接続される端子３０であって、端子本体４０と、スライド部５０と、を備え、端子本体４０は、電線２０の芯線２１を挟む挟持部を有し、スライド部５０は、挟持部が設けられた領域に外嵌された状態で仮係止位置と本係止位置との間を前後方向にスライド移動可能とされ、スライド部５０内に芯線２１が後方から挿入されるようになっており、スライド部５０は、本係止位置で挟持部を押圧することで芯線２１が挟持部によって第１方向から挟持される加圧部と、加圧部の後方に設けられ、芯線２１がスライド部５０内に挿入される際に第１方向から芯線２１に接触する少なくとも一対の第１接触部５４Ａと、加圧部の後方に設けられ、芯線２１がスライド部５０内に挿入される際に第１方向と交差する第２方向から芯線２１に接触する少なくとも一対の第２接触部５４Ｂと、を有する、端子３０である。【選択図】図６
2020167016.tif 000002
【特許請求の範囲】
【請求項１】
芯線を有する電線と接続される端子であって、
端子本体と、スライド部と、を備え、
前記端子本体は、前記電線の芯線を挟む挟持部を有し、
前記スライド部は、前記挟持部が設けられた領域に外嵌された状態で仮係止位置と本係止位置との間を前後方向にスライド移動可能とされ、前記スライド部内に前記芯線が後方から挿入されるようになっており、
前記スライド部は、前記本係止位置で前記挟持部を押圧することで前記芯線が前記挟持部によって第１方向から挟持される加圧部と、前記加圧部の後方に設けられ、前記芯線が前記スライド部内に挿入される際に前記第１方向から前記芯線に接触する少なくとも一対の第１接触部と、前記加圧部の後方に設けられ、前記芯線が前記スライド部内に挿入される際に前記第１方向と交差する第２方向から前記芯線に接触する少なくとも一対の第２接触部と、を有する、端子。
【請求項２】
前記芯線が挿通される挿通部は、前記第２接触部と、前記第２接触部の両側から前記第２接触部よりも前記芯線側に突出する一対の前記第１接触部と、を有する形状とされている、請求項１に記載の端子。
【請求項３】
前記挿通部は、前記第２接触部と前記第２接触部に連なる一対の前記第１接触部によって弧状に構成され、前記挿通部は、前記芯線の両側に一対配されている、請求項２に記載の端子。
【請求項４】
前記スライド部は、一対の前記挿通部の後縁から後方に向けて拡径する一対の誘い込み部を備える、請求項２または請求項３に記載の端子。
【請求項５】
前記第１接触部は、前記スライド部の周壁のうち前記第１方向に対向する一対の壁から前記第１方向に突出して一対設けられ、前記第２接触部は、前記スライド部の周壁のうち前記第２方向に対向する一対の壁から前記第２方向に突出して一対設けられている、請求項１に記載の端子。
【請求項６】
請求項１から請求項５のいずれか１項に記載の端子と、前記電線と、を備えた、端子付き電線。
【発明の詳細な説明】
【技術分野】
【０００１】
本開示は、端子および端子付き電線に関する。
【背景技術】
【０００２】
従来より、電線の端末から露出する芯線に端子が接続された端子付き電線が知られている。このような端子として、例えば、電線の端末から露出する芯線に外側から圧着する圧着部を備えるものがある。
【０００３】
上記の端子を電線に圧着するには、例えば以下のようにする。まず、金属板材をプレス加工することにより所定の形状の端子を成形する。続いて、上下方向に相対移動可能な一対の金型のうち下側に位置する下型の載置部に、端子を載置する。続いて、電線の端末から露出された芯線を、端子の圧着部に重ねて載置する。その後、一対の金型の一方又は双方を互いに接近する方向に移動させ、上型の圧着部と、下型の載置部との間で圧着部を挟み付けることにより、圧着部を電線の芯線に圧着する。以上により、電線の端末に端子が接続される（特許文献１参照）。
【先行技術文献】
【特許文献】
【０００４】
【特許文献１】特開２００５−５０７３６号公報
【発明の概要】
【発明が解決しようとする課題】
【０００５】
上記の圧着部に代えて、芯線を挟んで接続するとした場合、端子本体と、端子本体の後方に配されたスライド部との２部品で端子を構成することがあり得る。この場合、芯線はまずスライド部内に挿入されることになるため、スライド部内に芯線を挿入しやすい構造が望まれる。
【課題を解決するための手段】
【０００６】
本開示の端子は、芯線を有する電線と接続される端子であって、端子本体と、スライド部と、を備え、前記端子本体は、前記電線の芯線を挟む挟持部を有し、前記スライド部は、前記挟持部が設けられた領域に外嵌された状態で仮係止位置と本係止位置との間を前後方向にスライド移動可能とされ、前記スライド部には前記芯線が後方から挿入されるようになっており、前記スライド部は、前記本係止位置で前記挟持部を押圧することで前記芯線が前記挟持部によって第１方向から挟持される加圧部と、前記加圧部の後方に設けられ、前記芯線が前記スライド部に挿入される際に前記第１方向から前記芯線に接触する少なくとも一対の第１接触部と、前記加圧部の後方に設けられ、前記芯線が前記スライド部に挿入される際に前記第１方向と交差する第２方向から前記芯線に接触する少なくとも一対の第２接触部と、を有する、端子である。
【発明の効果】
【０００７】
本開示によれば、芯線の挿入作業を容易にできる。
【図面の簡単な説明】
【０００８】
【図１】図１は実施形態１における端子付き電線の側面図である。
【図２】図２は端子付き電線の平面図である。
【図３】図３は図２のＡ−Ａ断面図である。
【図４】図４は図３の芯線が挟持される前の状態を示す断面図である。
【図５】図５はスライド部の背面図である。
【図６】図６はスライド部を斜め後方から見た端子の斜視図である。
【図７】図７は実施形態２におけるスライド部の斜視図である。
【図８】図８はスライド部の背面図である。
【図９】図９は図８のＢ−Ｂ断面図である。
【図１０】図１０は実施形態３におけるスライド部の斜視図である。
【図１１】図１１はスライド部の背面図である。
【図１２】図１２は図１１のＣ−Ｃ断面図である。
【発明を実施するための形態】
【０００９】
［本開示の実施形態の説明］
最初に本開示の実施態様が列記して説明される。
本開示の端子は、
（１）芯線を有する電線と接続される端子であって、端子本体と、スライド部と、を備え、前記端子本体は、前記電線の芯線を挟む挟持部を有し、前記スライド部は、前記挟持部が設けられた領域に外嵌された状態で仮係止位置と本係止位置との間を前後方向にスライド移動可能とされ、前記スライド部内に前記芯線が後方から挿入されるようになっており、前記スライド部は、前記本係止位置で前記挟持部を押圧することで前記芯線が前記挟持部によって第１方向から挟持される加圧部と、前記加圧部の後方に設けられ、前記芯線が前記スライド部内に挿入される際に前記第１方向から前記芯線に接触する少なくとも一対の第１接触部と、前記加圧部の後方に設けられ、前記芯線が前記スライド部内に挿入される際に前記第１方向と交差する第２方向から前記芯線に接触する少なくとも一対の第２接触部と、を有する、端子である。
【００１０】
電線の芯線がスライド部内に後方から挿入されると、芯線が少なくとも一対の第１接触部に接触することによって第１方向への移動が規制され、芯線が少なくとも一対の第２接触部に接触することによって第２方向への移動が規制されるため、芯線が真っ直ぐに挿入される。仮に芯線にクセがある場合でも、各接触部によって芯線のクセが矯正されて挿入が行われるため、やはり芯線が真っ直ぐに挿入される。
【００１１】
スライド部が仮係止位置にある状態で芯線がスライド部内に真っ直ぐに挿入され、端子本体内に進入すると、挟持部に沿って配される。この状態でスライド部が仮係止位置から本係止位置にスライド移動されると、加圧部によって挟持部が第１方向に押圧され、芯線が挟持部によって第１方向から挟持される。これにより、電線と端子が電気的に接続される。
【００１２】
（２）前記芯線が挿通される挿通部は、前記第２接触部と、前記第２接触部の両側から前記第２接触部よりも前記芯線側に突出する一対の前記第１接触部と、を有する形状とされていることが好ましい。
芯線が挿通部に挿通されると、挿通部に接触することによって第１方向および第２方向への移動が規制される。
【００１３】
（３）前記挿通部は、前記第２接触部と前記第２接触部に連なる一対の前記第１接触部によって弧状に構成され、前記挿通部は、前記芯線の両側に一対配されていることが好ましい。
弧状とは、円弧状以外の曲面形状も含む。
芯線が一対の挿通部の間に挿通されると、弧状の挿通部に接触することによって第１方向および第２方向への移動が規制される。
【００１４】
（４）前記スライド部は、一対の前記挿通部の後縁から後方に向けて拡径する一対の誘い込み部を備えることが好ましい。
芯線は一対の誘い込み部に接触することによって一対の挿通部の間に案内される。
【００１５】
（５）前記第１接触部は、前記スライド部の周壁のうち前記第１方向に対向する一対の壁から前記第１方向に突出して一対設けられ、前記第２接触部は、前記スライド部の周壁のうち前記第２方向に対向する一対の壁から前記第２方向に突出して一対設けられていることが好ましい。
芯線が一対の第１接触部の間に挿通されると、第１接触部の先端に接触することによって第１方向への移動が規制される。芯線が一対の第２接触部の間に挿通されると、第２接触部の先端に接触することによって第２方向への移動が規制される。
（６）本開示の端子付き電線は、上記端子と、前記電線と、を備えた、端子付き電線である。
【００１６】
［本開示の実施形態の詳細］
本開示の端子付き電線１０の具体例を、以下に図面を参照しつつ説明する。なお、本開示はこれらの例示に限定されるものではなく、特許請求の範囲によって示され、特許請求の範囲と均等の意味および範囲内でのすべての変更が含まれることが意図される。
【００１７】
＜実施形態１＞
本開示の実施形態１が図１から図６を参照しつつ説明される。以下の説明において上下方向（第１方向）は図１の図示上下方向を基準とし、矢線Ｚの示す方向を上とする。前後方向は図１の図示左右方向を基準とし、矢線Ｙの示す方向を前とする。左右方向（第２方向）は図２の図示上下方向を基準とし、矢線Ｘの示す方向を左とする。
【００１８】
［電線２０］
図１に示すように、電線２０は前後方向に延びて配されている。電線２０は、芯線２１と、芯線２１の外周を包囲する絶縁被覆２２と、を備える。絶縁被覆２２は絶縁性の合成樹脂からなる。本実施形態の芯線２１は１本の金属線からなる単芯線とされているが、複数の金属細線が撚り合わせてなる撚線であってもよい。本実施形態の芯線２１は銅、又は銅合金からなるが、芯線２１を構成する金属は、銅、銅合金、アルミニウム、アルミニウム合金等、必要に応じて任意の金属を適宜に選択できる。
【００１９】
［端子３０］
端子３０は、金属製の端子本体４０と、端子本体４０に対してスライド移動可能なスライド部５０と、を備える。
［端子本体４０］
端子本体４０はプレス加工、切削加工、鋳造等、公知の手法により所定の形状に形成される。端子本体４０を構成する金属は、銅、銅合金、アルミニウム、アルミニウム合金、ステンレス鋼等、必要に応じて任意の金属を適宜に選択できる。本実施形態の端子本体４０は、銅、又は銅合金からなる。端子本体４０の表面にはめっき層が形成されていてもよい。めっき層を構成する金属は、スズ、ニッケル、銀等必要に応じて任意の金属を適宜に選択できる。本実施形態の端子本体４０にはスズめっきが施されている。
【００２０】
図４に示すように、端子本体４０は、筒部４１と、電線接続部４２と、を有する。筒部４１の内部には、図示しない相手方端子のタブが挿入可能とされている。電線接続部４２は、筒部４１の後方に位置している。電線接続部４２は電線２０と接続される。電線接続部４２は、上側挟持部４３Ａと、下側挟持部４３Ｂと、を備える。
【００２１】
筒部４１は、前後方向に延びる角筒状をなしている。筒部４１の前端はタブが挿入可能に開口されている。筒部４１の内部には、接触片４４が配されている。接触片４４は弾性変形可能とされている。筒部４１内に挿入されたタブは接触片４４を押圧して弾性変形させる。弾性変形した接触片４４の弾発力によってタブは筒部４１の内壁と接触片４４との間に挟まれる。これによりタブと端子３０とが電気的に接続される。
【００２２】
筒部４１の後方には角筒状をなす電線接続部４２が設けられている。電線接続部４２の天井壁（上壁）の後端部には上側挟持部４３Ａが後方に延びて設けられている。電線接続部４２の底壁（下壁）の後端部には下側挟持部４３Ｂが後方に延びて設けられている。上側挟持部４３Ａと下側挟持部４３Ｂは前後に延びた細長い形状をなしている。上側挟持部４３Ａと下側挟持部４３Ｂの前後方向の長さ寸法は同じに形成されている。同じとは厳密な意味での同じを意味するものではなく、同じとみなされる範囲であれば本開示の効果を奏する範囲で幅を持つ意味である。
【００２３】
上側挟持部４３Ａの下面には上側保持突部４５Ａが設けられている。上側保持突部４５Ａは上側挟持部４３Ａの後端部よりも前方に位置している。下側挟持部４３Ｂの上面には下側保持突部４５Ｂが設けられている。下側保持突部４５Ｂは下側挟持部４３Ｂの後端部に配されている。上側保持突部４５Ａと下側保持突部４５Ｂとは、前後方向についてずれた位置に設けられている。
【００２４】
上側挟持部４３Ａの下面、および下側挟持部４３Ｂの上面が、芯線２１の表面に形成された酸化被膜に食い込んで酸化被膜を剥がすことにより、芯線２１の金属表面を露出させるようになっている。この金属表面と上側挟持部４３Ａおよび下側挟持部４３Ｂとが接触することにより、芯線２１と端子本体４０とが電気的に接続される。
【００２５】
［スライド部５０］
スライド部５０は前後方向に延びる角筒状をなしている。スライド部５０は、切削加工、鋳造、プレス加工等、必要に応じて公知の手法により形成される。スライド部５０を構成する金属は、銅、銅合金、アルミニウム、アルミニウム合金、ステンレス鋼等、必要に応じて任意の金属を適宜に選択できる。本実施形態のスライド部５０は、特に限定されないが、ステンレス鋼からなる。スライド部５０の表面にはめっき層が形成されていてもよい。めっき層を構成する金属は、スズ、ニッケル、銀等、必要に応じて任意の金属を適宜に選択できる。
【００２６】
スライド部５０の断面形状は、端子本体４０のうち上側挟持部４３Ａと下側挟持部４３Ｂが設けられた領域の断面形状と同じか、やや大きく形成されている。これによりスライド部５０は端子本体４０のうち上側挟持部４３Ａと下側挟持部４３Ｂとが設けられた領域の外方に配されるようになっている。
【００２７】
スライド部５０の天井壁（上壁）の下面には、下方に突出する上側加圧部５１Ａが設けられている。スライド部５０の底壁（下壁）の上面には、上方に突出する下側加圧部５１Ｂが設けられている。
【００２８】
図１に示すように、スライド部５０の両側壁（左壁および右壁）には仮係止受け部５２と本係止受け部５３とがそれぞれ設けられている。仮係止受け部５２は、スライド部５０の前端部寄りの位置に配され、側方に開口されている。本係止受け部５３は、仮係止受け部５２よりも後方に位置し、側方に開口されている。仮係止受け部５２と本係止受け部５３は、端子本体４０の両側壁（左壁および右壁）に設けられた係止突起４６と弾性的に係止可能になっている。
【００２９】
端子本体４０の係止突起４６とスライド部５０の仮係止受け部５２とが係止した状態では、端子本体４０に対してスライド部５０が仮係止位置（図４におけるスライド部５０の位置）に保持されている。この状態においては、スライド部５０の上側加圧部５１Ａおよび下側加圧部５１Ｂは、端子本体４０の上側挟持部４３Ａおよび下側挟持部４３Ｂの後端縁よりも後方に離れて位置している。また、この状態においては、上側挟持部４３Ａと下側挟持部４３Ｂとの間の間隔は、芯線２１の直径よりも大きく設定されている。
【００３０】
端子本体４０の係止突起４６とスライド部５０の本係止受け部５３とが係止した状態では、端子本体４０に対してスライド部５０が本係止位置（図３におけるスライド部５０の位置）に保持されている。この状態においては、スライド部５０の上側加圧部５１Ａは、上方から上側挟持部４３Ａの上面に接触している。また、スライド部５０の下側加圧部５１Ｂは、下方から下側挟持部４３Ｂの下面に接触している。
【００３１】
上記のように、スライド部５０は、端子本体４０のうち上側挟持部４３Ａと下側挟持部４３Ｂとが設けられた領域に外嵌された状態で、上記した仮係止位置と本係止位置との間を前後方向にスライド移動可能になっている。
【００３２】
スライド部５０が端子本体４０に対して本係止位置で保持された状態では、上側加圧部５１Ａが上方から上側挟持部４３Ａの上面を押圧することによって上側挟持部４３Ａが下方に変位するようになっている。また、下側加圧部５１Ｂが下方から下側挟持部４３Ｂの下面を押圧することによって下側挟持部４３Ｂが上方に変位するようになっている。
【００３３】
これにより芯線２１が上側挟持部４３Ａと下側挟持部４３Ｂとの間に配され、かつ、スライド部５０が端子本体４０に対して本係止位置で保持された状態では、芯線２１は上側挟持部４３Ａと下側挟持部４３Ｂとによって上下方向から挟持されるようになっている。すなわち、上側挟持部４３Ａは上側加圧部５１Ａに下方に押圧されることにより芯線２１に上方から弾性的に接触し、下側挟持部４３Ｂは下側加圧部５１Ｂに上方に押圧されることにより芯線２１に下方から弾性的に接触している。
【００３４】
スライド部５０が端子本体４０に対して本係止位置で保持された状態では、上側挟持部４３Ａの上側保持突部４５Ａが芯線２１を上方から押圧し、下側挟持部４３Ｂの下側保持突部４５Ｂが芯線２１を下方から押圧する。この結果、芯線２１は、上側保持突部４５Ａによって上方から押圧されるとともに、上側保持突部４５Ａと前後方向にずれた位置に配された下側保持突部４５Ｂによって下方から押圧されることにより、上下方向にずれた段差状に屈曲した状態に保持される。したがって、上側挟持部４３Ａと下側挟持部４３Ｂに加え、上側保持突部４５Ａと下側保持突部４５Ｂによっても芯線２１と端子３０とが電気的に接続される。
【００３５】
図６に示すように、スライド部５０の後端部寄りの位置には、２つの規制リブ５４が左右方向に対向する配置で設けられている。左側の規制リブ５４はスライド部５０の左側壁から右方に突出し、右側の規制リブ５４はスライド部５０の右側壁から左方に突出している。規制リブ５４は、例えばスライド部５０の一部をプレス加工によって叩き出すことで形成されている。
【００３６】
規制リブ５４は、芯線２１に上下方向から接触する２つの第１接触部５４Ａと、芯線２１に左右方向から接触する１つの第２接触部５４Ｂと、を有し、２つの第１接触部５４Ａと１つの第２接触部５４Ｂとは一体に形成されている。すなわち一対の規制リブ５４は、少なくとも一対の第１接触部５４Ａと、少なくとも一対の第２接触部５４Ｂとを有し、かつ左右対称に配置されている。図５に示すように後方から見た場合に、第１接触部５４Ａは上下方向に延びる直線部分とされ、第２接触部５４Ｂは第１接触部５４Ａよりもスライド部５０の側壁側に凹んだ曲線部分とされている。
【００３７】
一対の第１接触部５４Ａの対向面同士は平行に配置されている。一対の第１接触部５４Ａの対向面間の寸法は、芯線２１の直径よりも小さい。したがって、芯線２１が上方に移動しようとすると、芯線２１が上側の第１接触部５４Ａの下端部に接触することで上方への移動が規制される。また、芯線２１が下方に移動しようとすると、芯線２１が下側の第１接触部５４Ａの上端部に接触することで下方への移動が規制される。
【００３８】
第１接触部５４Ａは、第２接触部５４Ｂの上下両側に連なるように配置されている。第２接触部５４Ｂと一対の第１接触部５４Ａによって円弧状の挿通部５５が構成されている。挿通部５５は、図５に示すように、芯線２１の左右両側に一対配され、芯線２１の外周に沿う形状とされている。一対の第２接触部５４Ｂの対向面間の最大寸法は、芯線２１の直径よりもわずかに大きい。芯線２１が左方に移動しようとすると、芯線２１が左側の第２接触部５４Ｂに対して接触することで移動が規制される。また、芯線２１が右方に移動しようとすると、芯線２１が右側の第２接触部５４Ｂに対して接触することで移動が規制される。
【００３９】
一対の挿通部５５の後方には一対の誘い込み部５６が設けられている。一対の誘い込み部５６の前縁は一対の挿通部５５の後縁に連なっている。誘い込み部５６は、挿通部５５の後縁から後方に向けて拡径する傾斜面を有している。言い換えると誘い込み部５６の傾斜面は、挿通部５５の後縁に向かうようにすり鉢状に傾斜している。このため誘い込み部５６に接触した芯線２１は、前方に向かうと一対の挿通部５５の間に誘い込まれる。
【００４０】
［電線２０と端子３０の接続方法］
電線２０の芯線２１は、公知の手法で絶縁被覆２２が皮剥ぎ加工されることにより露出される。電線２０の挿入作業は、スライド部５０が仮係止位置に保持された状態で行われる。電線２０がスライド部５０に向けて後方から挿入されると、芯線２１の先端が誘い込み部５６に接触しながら一対の挿通部５５の間へと案内される。
【００４１】
一対の挿通部５５の間に芯線２１が挿入されると、芯線２１は挿通部５５の第１接触部５４Ａに接触することで上下方向への移動が規制され、挿通部５５の第２接触部５４Ｂに接触することで左右方向への移動が規制される。また、芯線２１にクセがある場合には、芯線２１が挿通部５５を挿通する際に各接触部５４Ａ、５４Ｂによって芯線２１のクセが矯正される。このようにして挿通部５５を通過した芯線２１は、真っ直ぐに挿入される。
【００４２】
芯線２１は、上側加圧部５１Ａと下側加圧部５１Ｂとの間を通過した後、上側挟持部４３Ａの後端と下側保持突部４５Ｂの後端とに干渉することなく、上側挟持部４３Ａの後半分と下側保持突部４５Ｂとの間に進入する。芯線２１は、上側挟持部４３Ａの後半分と下側保持突部４５Ｂとの間を通過した後、上側保持突部４５Ａの後端に干渉することなく、上側保持突部４５Ａと下側挟持部４３Ｂの前半分との間に進入する。芯線２１は、上側保持突部４５Ａと下側挟持部４３Ｂの前半分との間を通過した後、端子本体４０の後端に干渉することなく、端子本体４０の内部に進入し、図４の状態に至る。
【００４３】
芯線２１の先端は、筒部４１の後端と電線接続部４２の前端との間に位置している。筒部４１の後端と電線接続部４２の前端との間には、上方に開口する開口４７が設けられている。芯線２１の先端は、図２に示すように、上方から視認可能となっており、これにより芯線２１が挿入途中で干渉することなく無事に挿入できたことを確認できる。
【００４４】
次に、スライド部５０が仮係止位置から本係止位置に向けて前方に押し込まれると、端子本体４０の係止突起４６とスライド部５０の仮係止受け部５２との係止が解除され、スライド部５０のスライド移動が許容される。スライド移動の開始とともにスライド部５０の側壁が係止突起４６に乗り上げて拡開変形する。
【００４５】
スライド移動の途中では、スライド部５０の上側加圧部５１Ａが端子本体４０の上側挟持部４３Ａに上方から当接して下方へ押圧し、下側加圧部５１Ｂが下側挟持部４３Ｂに下方から当接して上方へ押圧する。これにより、芯線２１が上側挟持部４３Ａと下側挟持部４３Ｂに上下方向から挟持される。
【００４６】
上側挟持部４３Ａと下側挟持部４３Ｂとによって芯線２１が上下方向から挟まれることにより、芯線２１の表面に形成された酸化被膜が剥がされ、芯線２１を構成する金属が露出する。この金属と上側挟持部４３Ａおよび下側挟持部４３Ｂとが接触することにより、電線２０の芯線２１と端子３０とが電気的に接続される。
【００４７】
スライド部５０が本係止位置に至ると、スライド部５０の側壁が弾性的に復帰変形して端子本体４０の係止突起４６とスライド部５０の本係止受け部５３とが係止する。これによりスライド部５０が本係止位置に保持される。
【００４８】
芯線２１が上側挟持部４３Ａと下側挟持部４３Ｂとによって上下方向から挟まれた状態では、芯線２１は、上側挟持部４３Ａの上側保持突部４５Ａと下側挟持部４３Ｂの下側保持突部４５Ｂとによって前後方向にずれた位置で挟まれることにより、前後方向に延びた状態で、かつ、上下方向に屈曲した状態で保持される。これにより、芯線２１を強固に保持することができるので、電線２０に引っ張り力が作用した場合に電線２０が端子３０から外れることはない。このようにして電線２０と端子３０との保持力を高めることができる。
【００４９】
＜実施形態２＞
本開示の実施形態２が図７から図９を参照しつつ説明される。実施形態２は、実施形態１のスライド部５０の構成を一部変更したものであって、その他の構成については実施形態１と同じであるため、その説明を省略する。また、実施形態１と同じ構成については実施形態１と同一の符号が用いられる。
【００５０】
本実施形態のスライド部１５０は、図７に示すように、２つの規制リブ１５４を備えている。２つの規制リブ１５４は、図９に示すように、スライド部１５０の後端部寄りの位置で、かつ、２つの加圧部５１Ａ、５１Ｂの後方の位置に設けられている。２つの規制リブ１５４は、左右方向に対向する配置で設けられている。左側の規制リブ１５４はスライド部１５０の左側壁から右方に突出し、右側の規制リブ１５４はスライド部１５０の右側壁から左方に突出している。規制リブ１５４は、例えばスライド部１５０の一部をプレス加工によって叩き出すことで形成されている。
【００５１】
規制リブ１５４は、図８に示すように、芯線２１に上下方向から接触する２つの第１接触部１５４Ａと、芯線２１に左右方向から接触する１つの第２接触部１５４Ｂと、を有し、２つの第１接触部１５４Ａと１つの第２接触部１５４Ｂとは一体に形成されている。すなわち一対の規制リブ１５４は、少なくとも一対の第１接触部１５４Ａと、少なくとも一対の第２接触部１５４Ｂとを有し、かつ左右対称に配置されている。後方から見た場合に、第１接触部１５４Ａは上下方向に延びる直線部分とされ、第２接触部１５４Ｂは第１接触部１５４Ａよりもスライド部１５０の側壁側にオフセットされた直線部分とされている。
【００５２】
一対の第１接触部１５４Ａの対向面同士は平行に配置されている。一対の第１接触部１５４Ａの対向面間の寸法は、芯線２１の直径よりも小さい。したがって、芯線２１が上方に移動しようとすると、芯線２１が上側の第１接触部１５４Ａの下端部に接触することで上方への移動が規制される。また、芯線２１が下方に移動しようとすると、芯線２１が下側の第１接触部１５４Ａの上端部に接触することで下方への移動が規制される。
【００５３】
第１接触部１５４Ａは、第２接触部１５４Ｂの上下両側に連なるように配置されている。第２接触部１５４Ｂと一対の第１接触部１５４Ａによって門形の挿通部１５５が構成されている。挿通部１５５は、図８に示すように、芯線２１の左右両側に一対配され、芯線２１の外周面のうち左右両端における接線方向に延びる形状とされている。一対の第２接触部１５４Ｂの対向面同士は平行に配置されている。一対の第２接触部１５４Ｂの対向面間の寸法は、芯線２１の直径よりもわずかに大きい。芯線２１が左方に移動しようとすると、芯線２１が左側の第２接触部１５４Ｂに対して接触することで移動が規制される。また、芯線２１が右方に移動しようとすると、芯線２１が右側の第２接触部５４Ｂに対して接触することで移動が規制される。本開示の規制リブ１５４の後端は、平面状に形成されているものの、このような形状に限定されることはなく、規制リブの後端は芯線２１の先端を挿通部１５５に誘い込み可能なテーパ状に形成されていてもよい。
【００５４】
＜実施形態３＞
本開示の実施形態３が図１０から図１２を参照しつつ説明される。実施形態３は、実施形態１のスライド部５０の構成を一部変更したものであって、その他の構成については実施形態１と同じであるため、その説明を省略する。また、実施形態１と同じ構成については実施形態１と同一の符号が用いられる。
【００５５】
本実施形態のスライド部２５０は、図１０に示すように、２つの折曲片２５７と、２つの突起２５８と、を備えている。
【００５６】
２つの折曲片２５７は、スライド部２５０の天井壁の後縁に設けられた上側の折曲片２５７と、底壁の後縁に設けられた下側の折曲片２５７と、を備えている。上側の折曲片２５７は片持ち状をなし、天井壁の後縁から後方に向かった後、直角に折り曲げられて下方に延びる形態とされている。下側の折曲片２５７は片持ち状をなし、底壁の後縁から後方に向かった後、直角に折り曲げられて上方に延びる形態とされている。
【００５７】
上側の折曲片２５７の下端部は上側の第１接触部２５４Ａとされ、下側の折曲片２５７の上端部は下側の第１接触部２５４Ａとされている。２つの第１接触部２５４Ａは、上下方向に対向する配置で設けられている。上側の第１接触部２５４Ａの後縁には、後方に向かうほど上方に向かう上側の誘い込み部２５６が設けられている。下側の第１接触部２５４Ａの後縁には、後方に向かうほど下方に向かう下側の誘い込み部２５６が設けられている。
【００５８】
図１２に示すように、２つの突起２５８は左右方向に対向する配置で設けられている。左側の突起２５８はスライド部２５０の左側壁から右方に突出し、右側の突起２５８はスライド部２５０の右側壁から左方に突出している。突起２５８は、例えばスライド部２５０の一部をプレス加工によって叩き出すことで形成されている。突起２５８の突出端面は第２接触部２５４Ｂとされている。右側の突起２５８の後縁には、後方に向かうほど右方に向かう右側の誘い込み部２５９が設けられている。左側の突起２５８の後縁には、後方に向かうほど左方に向かう左側の誘い込み部２５９が設けられている。
【００５９】
電線２０がスライド部５０に向けて後方から挿入されると、芯線２１の先端が誘い込み部２５６に接触しながら一対の第１接触部２５４Ａの間へ案内される。芯線２１は一対の第１接触部２５４Ａに接触することで上下方向への移動が規制される。その後、芯線２１の先端が誘い込み部２５９に接触しながら一対の第２接触部２５４Ｂの間へ案内される。芯線２１は一対の第２接触部２５４Ｂに接触することで左右方向への移動が規制される。
【００６０】
本実施形態では、第１接触部２５４Ａと第２接触部２５４Ｂが別体に設けられているため、一体に設けられる場合よりも精度よく加工ができ、製造面で有利である。また、第１接触部２５４Ａを有する折曲片２５７と第２接触部２５４Ｂを有する突起２５８とのいずれもが単純な形状とされているため、寸法精度が高くなり、やはり製造面で有利である。
【００６１】
＜他の実施形態＞
（１）実施形態１と２では、左右一対の規制リブ５４、１５４が設けられているものを例示したが、いずれか一方のみが設けられているものでもよい。例えば、右側の規制リブ５４、１５４のみが設けられている場合、右側の規制リブ５４、１５４と対向する左側壁が第２接触部として機能する。
【００６２】
（２）実施形態１と２では、規制リブ５４、１５４に一対の第１接触部５４Ａ、１５４Ａが設けられているものを例示したが、いずれか一方のみが設けられているものでもよい。例えば、下側の第１接触部５４Ａ、１５４Ａと対向する天井壁が第１接触部として機能する。
【００６３】
（３）実施形態３では、上下一対の折曲片２５７が設けられているものを例示したが、いずれか一方のみが設けられているものでもよい。同様に、左右一対の突起２５８が設けられているものを例示したが、いずれか一方のみが設けられているものでもよい。
【００６４】
（４）実施形態１と２では、第１接触部５４Ａ、１５４Ａと第２接触部５４Ｂ、１５４Ｂが一体に設けられているものを例示したが、第１接触部と第２接触部は別体に設けられているものでもよい。例えば第１接触部は天井壁又は底壁に設けられ、第２接触部は側壁に設けられているものでもよい。
【００６５】
（５）実施形態２では誘い込み部が設けられていないものを例示したが、規制リブの後端部がテーパ状に形成されることで誘い込み部が設けられているものでもよい。
【００６６】
（６）実施形態１では円弧状の挿通部５５を例示したが、円弧状以外の曲面形状の挿通部でもよい。
（７）実施形態１と２では芯線２１が２つの挟持部４３Ａ、４３Ｂによって挟まれているが、１つの挟持部とこの挟持部に対向する壁部とによって芯線が挟まれるものとしてもよい。また、３つ以上の挟持部によって芯線が挟まれるものとしてもよい。
【符号の説明】
【００６７】
１０…端子付き電線
２０…電線
２１…芯線
２２…絶縁被覆
３０…端子
４０…端子本体
４１…筒部
４２…電線接続部
４３Ａ…上側挟持部
４３Ｂ…下側挟持部
４４…接触片
４５Ａ…上側保持突部
４５Ｂ…下側保持突部
４６…係止突起
４７…開口
５０、１５０、２５０…スライド部
５１Ａ…上側加圧部
５１Ｂ…下側加圧部
５２…仮係止受け部
５３…本係止受け部
５４、１５４…規制リブ
５４Ａ、１５４Ａ、２５４Ａ…第１接触部
５４Ｂ、１５４Ｂ、２５４Ｂ…第２接触部
５５…挿通部
５６、２５６、２５９…誘い込み部
２５７…折曲片
２５８…突起
【図１】
2020167016.tif 000003
【図２】
2020167016.tif 000004
【図３】
2020167016.tif 000005
【図４】
2020167016.tif 000006
【図５】
2020167016.tif 000007
【図６】
2020167016.tif 000008
【図７】
2020167016.tif 000009
【図８】
2020167016.tif 000010
【図９】
2020167016.tif 000011
【図１０】
2020167016.tif 000012
【図１１】
2020167016.tif 000013
【図１２】
2020167016.tif 000014